(57)【要約】【課題】ユーザーの健康を増進させることが可能な情報処理装置、情報処理システムおよび情報処理方法を提供する。【解決手段】情報処理システム１は、実行部１３１１と、取得部１３１２と、制御部１３１４とを備える。実行部１３１１は、ログイン処理を実行する。取得部１３１２は、ユーザーの活動量を取得する。制御部１３１４は、取得されたユーザーの活動量に基づいて、ログイン処理の実行を許可し、又は制限するように、実行部１３１１を制御する。【選択図】図２
2020095567.tif 000002
【特許請求の範囲】
【請求項１】
ユーザーの指示に基づいて、ログイン処理を実行する実行部と、
前記ユーザーの活動量を取得する取得部と、
取得された前記活動量に基づいて、前記ログイン処理の実行を許可し、又は制限するように、前記実行部を制御する制御部と
を備える、情報処理装置。
【請求項２】
前記取得部は、少なくとも第１期間にわたって前記活動量を取得し、
前記第１期間にわたって取得された前記活動量が第１基準値を満たすか否かを判定する判定部を更に備え、
前記制御部は、前記活動量が前記第１基準値を満たすか否かに基づいて、前記ログイン処理の実行を許可し、又は制限するように前記実行部を制御する、請求項１に記載の情報処理装置。
【請求項３】
前記判定部は、前記活動量が前記第１基準値を満たすと判定された場合において、第１期間の前記活動量のばらつきが第１閾値以下か否かを判定し、
前記制御部は、前記ばらつきが第１閾値以下と判定された場合に、前記ログイン処理の実行を許可する、請求項２に記載の情報処理装置。
【請求項４】
前記判定部は、前記制御部で前記ログイン処理の実行が制限された場合であっても、その後に取得された前記活動量について、前記第１基準値を満たすか否かを判定し、
前記制御部は、前記その後に取得された前記活動量が、前記第１基準値を満たすと判定された場合に、前記ログイン処理の実行を許可する、請求項２又は３に記載の情報処理装置。
【請求項５】
前記活動量は、前記ユーザーの１日当たりの歩数、又は前記ユーザーの１日当たりの睡眠時間である、請求項１〜４の何れか１項に記載の情報処理装置。
【請求項６】
携帯端末と、情報処理装置とを含む情報処理システムであって、
前記携帯端末は、
ユーザーの活動量を測定する測定部と、
前記活動量を示すデータを、前記情報処理装置に送信する送信部とを備え、
前記情報処理装置は、
前記活動量を示すデータを受信する受信部と、
前記ユーザーの指示に基づいて、ログイン処理を実行する実行部と、
受信した前記活動量を示すデータに基づいて、前記ログイン処理の実行を許可し、又は制限するように、前記実行部を制御する制御部と
を備える、情報処理システム。
【請求項７】
前記携帯端末は、
前記活動量を測定する際に、前記ユーザーを認証する認証部を更に備え、
前記ユーザーが認証された場合に、前記活動量を示すデータを、前記情報処理装置に送信し、
前記情報処理装置の前記制御部は、受信した前記活動量に基づいて、前記ログイン処理の実行を許可し、又は制限するように前記実行部を制御する、請求項６に記載の情報処理システム。
【請求項８】
前記認証部は、予め規定した期間の中で、複数の回数、前記ユーザーを認証する、請求項７に記載の情報処理システム。
【請求項９】
前記認証部は、前記活動量を取得する途中で、定期的又は不定期に前記ユーザーを認証する、請求項８に記載の情報処理システム。
【請求項１０】
前記認証部は、前記ユーザーの生体情報を利用して、前記ユーザーを認証する、請求項７〜９の何れか１項に記載の情報処理システム。
【請求項１１】
ユーザーの指示に基づいて、ログイン処理を実行する実行ステップと、
前記ユーザーの活動量を取得する取得ステップと
を包含し、
前記実行ステップでは、
取得された前記活動量に基づいて、前記ログイン処理の実行が許可され、又は制限される、情報処理方法。
【発明の詳細な説明】
【技術分野】
【０００１】
本発明は、情報処理装置、情報処理システムおよび情報処理方法に関する。
【背景技術】
【０００２】
近年、ワークライフバランスの改善等の観点から、各企業等では、在宅勤務など、勤務先以外で働く勤務形態の導入が進められている。在宅勤務等においては、適切かつ効率的な労務管理が課題となっており、在宅勤務者の在席状況および離席状況を効率的に確認する技術が提案されている（例えば、特許文献１参照）。
【先行技術文献】
【特許文献】
【０００３】
【特許文献１】特開２０１８−１４２３５１号公報
【発明の概要】
【発明が解決しようとする課題】
【０００４】
しかしながら、特許文献１の情報処理装置等は、在宅勤務者等の勤務状況については効率的な管理が可能なものの、在宅勤務者等の健康の管理については何ら言及がなく、改善の余地がある。
【０００５】
本発明は、上記課題に鑑みてなされたものであり、ユーザーの健康を増進させることが可能な情報処理装置、情報処理システムおよび情報処理方法を提供することを目的とする。
【課題を解決するための手段】
【０００６】
本発明に係る情報処理装置は、実行部と、取得部と、制御部とを備える。前記実行部は、ユーザーの指示に基づいて、ログイン処理を実行する。前記取得部は、前記ユーザーの活動量を取得する。前記制御部は、取得された前記活動量に基づいて、前記ログイン処理の実行を許可し、又は制限するように、前記実行部を制御する。
【０００７】
本発明に係る情報処理システムは、携帯端末と、情報処理装置とを含む。前記携帯端末は、測定部と、送信部とを備える。前記測定部は、ユーザーの活動量を測定する。前記送信部は、前記活動量を示すデータを、前記情報処理装置に送信する。前記情報処理装置は、受信部と、実行部と、制御部とを備える。前記受信部は、前記活動量を示すデータを受信する。前記実行部は、前記ユーザーの指示に基づいて、ログイン処理を実行する。前記制御部は、受信された前記活動量を示すデータに基づいて、前記ログイン処理の実行を許可し、又は制限するように前記実行部を制御する。
【０００８】
本発明に係る情報処理方法は、ユーザーの指示に基づいて、ログイン処理を実行する実行ステップと、前記ユーザーの活動量を取得する取得ステップとを包含する。前記実行ステップでは、取得された前記ユーザーの活動量に基づいて、前記ログイン処理の実行が許可され、又は制限される。
【発明の効果】
【０００９】
本発明の情報処理装置、情報処理システムおよび情報処理方法によれば、ユーザーの健康を増進させることが可能になる。
【図面の簡単な説明】
【００１０】
【図１】本発明の実施形態に係る情報処理システムの概略を示す図である。
【図２】情報処理装置の構成を示すブロック図である。
【図３】携帯端末の構成を示すブロック図である。
【図４】第１実施形態の第１ログイン制御処理の前半を示すシーケンス図である。
【図５】第１実施形態の第１ログイン制御処理の後半を示すシーケンス図である。
【図６】管理サーバーの構成を示すブロック図である。
【図７】第２実施形態の第２ログイン制御処理を示すシーケンス図である。
【発明を実施するための形態】
【００１１】
以下、本発明の実施形態について、図面（図１〜図７）を参照しながら説明する。なお、図中、同一又は相当部分については同一の参照符号を付して説明を繰り返さない。
【００１２】
図１は、本発明の実施形態に係る情報処理システム１の概略を示す図である。図１に示す情報処理システム１は、ユーザーの健康を増進させ得るシステムである。情報処理システム１は、複数の情報処理装置１００Ａ〜情報処理装置１００Ｃと、複数の携帯端末１５０Ａ〜携帯端末１５０Ｃと、管理サーバー２００とを含む。以下、情報処理装置１００Ａ、情報処理装置１００Ｂおよび情報処理装置１００Ｃの総称を「情報処理装置１００」という。また、携帯端末１５０Ａ、携帯端末１５０Ｂおよび携帯端末１５０Ｃの総称を「携帯端末１５０」という。なお、図４および図５を参照して後述する第１ログイン制御処理を実行するための情報処理システムには、少なくとも情報処理装置１００と携帯端末１５０とが含まれる。
【００１３】
本実施形態では、情報処理装置１００Ａと携帯端末１５０Ａとは、テレワーカーＡに対応付けられている。また、携帯端末１５０Ａは、テレワーカーＡに常時携帯されている。同様に、情報処理装置１００Ｂと携帯端末１５０Ｂとは、テレワーカーＢに対応付けられており、情報処理装置１００Ｃと携帯端末１５０Ｃとは、テレワーカーＣに対応付けられている。また、携帯端末１５０Ｂは、テレワーカーＢに常時携帯されており、携帯端末１５０Ｃは、テレワーカーＣに常時携帯されている。以下、テレワーカーＡ、テレワーカーＢおよびテレワーカーＣの総称を「テレワーカー」という。
【００１４】
ここで、「テレワーカー」とは、テレワーク（テレワーキング）の労働形態で働く人をいう。また、「テレワーク（テレワーキング）」とは、労働形態の一種であり、パソコン等の情報通信機器を利用して、事業所等から離れた場所で働くことをいう。なお、テレワーカーは、「ユーザー」の一例である。
【００１５】
図１に示すように、情報処理システム１の複数の情報処理装置１００、複数の携帯端末１５０および管理サーバー２００は、ネットワーク５０を介して互いに通信可能に接続されている。例えば、各装置は、インターネット、ＬＡＮ（Ｌｏｃａｌ  Ａｒｅａ  Ｎｅｔｗｏｒｋ）、又は、ＷＡＮ（Ｗｉｄｅ  Ａｒｅａ  Ｎｅｔｗｏｒｋ）を介して通信可能に接続されている。
【００１６】
本実施形態では、情報処理装置１００は、それぞれのテレワーカーによって業務使用される。情報処理装置１００は、例えば、パーソナルコンピューターである。更に、情報処理装置１００は、管理サーバー２００にリモートログインが可能である。なお、リモートログインも「ログイン」の一例である。
【００１７】
情報処理装置１００は、それぞれのテレワーカーの指示に基づいて「ログイン」される。更に、情報処理装置１００は、テレワーカーの指示に基づいて、管理サーバー２００に「リモートログイン」される。
【００１８】
携帯端末１５０は、それぞれのテレワーカーの活動量を測定する。携帯端末１５０は、それぞれの情報処理装置１００に、活動量を示すデータ（以下、活動量を示すデータを「活動量データ」という。）を送信する。携帯端末１５０は、例えば、ＧＰＳ（Ｇｌｏｂａｌ  Ｐｏｓｉｔｉｏｎｉｎｇ  Ｓｙｓｔｅｍ）機能と歩数計機能とを備えるスマートウォッチ又はスマートフォンである。ここで、「活動量」とは、テレワーカーの健康を増進させるための一定期間の活動内容を示す。活動量は、例えば、１週間における１日当たりの歩数である。なお、活動量は、歩数に限定されない。活動量は、例えば、１週間における１日当たりの睡眠時間でもよく、１週間における１日当たりの摂取カロリー量でもよい。更に、活動量は、例えば、１週間における各日の業務開始時刻でもよく、１週間における各日の就寝時刻でもよい。
【００１９】
管理サーバー２００は、全てのテレワーカーの業務および労務を管理するサーバーである。管理サーバー２００は、例えば、本社又はデータセンター等に設置されている。管理サーバー２００は、全てのテレワーカーによるリモートログイン可能である。
【００２０】
（第１実施形態）
次に、図１〜図３を参照して、本実施形態の情報処理装置１００および携帯端末１５０の構成について説明する。図２は、情報処理装置１００の構成を示すブロック図である。図２に示すように、情報処理装置１００は、通信部１１と、入出力部１２と、装置制御部１３とを備える。
【００２１】
通信部１１は、装置制御部１３の指示に応じて、他の電子機器との間で、各種のデータを送受信する。具体的には、通信部１１は、携帯端末１５０から送信された活動量データを受信する。通信部１１は、例えば、通信インターフェイスである。なお、通信部１１は、「受信部」の一例である。
【００２２】
更に、通信部１１は、図７を参照して後述するように、装置制御部１３の指示に応じて、管理サーバー２００に、リモートログイン処理を要求する。なお、リモートログインの際、通信部１１は、装置制御部１３の指示に応じて、携帯端末１５０の代わりに、管理サーバー２００に活動量データを送信してもよい。
【００２３】
入出力部１２は、各種の情報をテレワーカーに提示するとともに、テレワーカーから制御に関する指示を受け付ける。入出力部１２は、表示部１２１と受付部１２２とを有する。入出力部１２は、例えば、タッチパネルを有する液晶ディスプレイを含む。
【００２４】
表示部１２１は、画面を表示する。具体的には、表示部１２１は、ログイン用の画面又はリモートログイン用の画面を表示する。
【００２５】
受付部１２２は、テレワーカーから各種の指示を受け付ける。具体的には、受付部１２２は、テレワーカーから、ログイン処理を実行するために必要な指示、又はリモートログイン処理を実行するために必要な指示を受け付ける。
【００２６】
装置制御部１３は、制御プログラムに基づいて、情報処理装置１００の各構成部分の動作を制御する。装置制御部１３は、処理部１３１と、記憶部１３２とを備える。処理部１３１は、例えば、プロセッサーである。プロセッサーは、例えばＣＰＵ（Ｃｅｎｔｒａｌ  Ｐｒｏｃｅｓｓｉｎｇ  Ｕｎｉｔ）である。
【００２７】
処理部１３１は、記憶部１３２に記憶された制御プログラムを実行することによって、情報処理装置１００の各構成部分の動作を制御する。
【００２８】
記憶部１３２は、各種のデータおよび制御プログラムを記憶する。記憶部１３２は、例えば、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、およびソリッドステートドライブ（Ｓｏｌｉｄ  Ｓｔａｔｅ  Ｄｒｉｖｅ：ＳＳＤ）のうち、少なくとも１つを含む。
【００２９】
処理部１３１は、実行部１３１１と、取得部１３１２と、判定部１３１３と、制御部１３１４とを含む。本実施形態において、処理部１３１が記憶部１３２に格納された制御プログラムを実行することによって、制御プログラムが、実行部１３１１と、取得部１３１２と、判定部１３１３と、制御部１３１４との機能を実現する。
【００３０】
実行部１３１１は、テレワーカーの指示に基づいて、ログイン処理を実行する。ここで、「ログイン処理」とは、情報処理装置１００を使用可能な状態にするために最初に実行される処理である。具体的には、ログイン処理は、テレワーカーの認証に関する情報が入力されてから、テレワーカーが情報処理装置１００を使用できる状態になるまでの処理をいう。「テレワーカーの認証に関する情報」とは、例えば、テレワーカーのユーザーＩＤとパスワードとが該当する。
【００３１】
更に、実行部１３１１は、記憶部１３２に記憶された活動量データを読み出す。実行部１３１１は、ユーザーＩＤと、パスワードと、活動量データとに基づいて、ログイン処理を実行する。また、実行部１３１１は、制御部１３１４によって、ログイン処理の実行が制御される。また、実行部１３１１は、図６および図７を参照して後述するように、通信部１１を介して、管理サーバー２００にリモートログイン処理を要求する。
【００３２】
取得部１３１２は、テレワーカーの活動量を取得する。具体的には、取得部１３１２は、通信部１１を介して、携帯端末１５０から送信された活動量データを取得する。更に、取得部１３１２は、取得した活動量データを記憶部１３２に記憶し、蓄積する。
【００３３】
本実施形態では、取得部１３１２は、通信部１１を介して、携帯端末１５０から送信された歩数を示すデータ（以下、歩数を示すデータを「歩数データ」という。）を取得する。
【００３４】
判定部１３１３は、活動量について種々判定する。具体的には、判定部１３１３は、第１期間にわたって取得された活動量が第１基準値を満たすか否かを判定する。「第１期間」は、例えば「ログインする日の直近の１週間」である。
【００３５】
また、第１基準値は、例えば、「１日当たりの平均歩数が７０００歩以上」である。この場合、週末に集中的にウォーキング等を実施することによって、第１基準値を満たしてもよい。
【００３６】
更に、判定部１３１３は、第１期間にわたる活動量が第１基準値を満たすと判定された場合において、第１期間内の活動量のばらつきが第１閾値以下か否かを判定してもよい。ここで、「第１期間内の活動量のばらつき」は、例えば、「１日当たりの歩数の最大値と最小値との差」をいう。更に、第１閾値は、例えば、「４０００歩」である。この場合は、毎日過不足なくウォーキング等が実施されることとなり、健康を増進させる点では、より好ましい。
【００３７】
更に、判定部１３１３は、第１期間の活動量が第１基準値を満たさず、ログイン処理の実行が制限された場合であっても、その後に取得された活動量について第１基準値を満たすか否かについて判定してもよい。そして、制御部１３１４は、判定部１３１３において、その後に取得した活動量が第１基準値を満たすと判定された場合は、ログイン処理の実行を許可するように、実行部１３１１を制御してもよい。
【００３８】
制御部１３１４は、取得部１３１２が取得した活動量に基づいて、ログイン処理の実行を許可し、又は制限するように、実行部１３１１を制御する。具体的には、制御部１３１４は、携帯端末１５０から受信した活動量データに基づいて、ログイン処理の実行を許可し、又は制限するように実行部１３１１を制御する。なお、本実施形態では、テレワーカーから受けつけたユーザーＩＤおよびパスワードと、記憶部１３２に登録されているユーザーＩＤおよびパスワードとが一致することが、ログイン処理の実行を許可する前提条件である。
【００３９】
更に、制御部１３１４は、活動量が第１基準値を満たすか否かに基づいて、ログイン処理の実行を許可し、又は制限するように実行部１３１１を制御する。
【００４０】
また、制御部１３１４は、活動量のばらつきが第１閾値以下と判定された場合に、ログイン処理の実行を許可するように実行部１３１１を制御する。更に、制御部１３１４は、第１期間の活動量が第１基準値を満たさず、ログイン処理の実行が制限された場合であっても、その後に取得された活動量について、第１基準値を満たすと判定されたときは、ログイン処理の実行を許可するように実行部１３１１を制御してもよい。
【００４１】
図３は、携帯端末１５０の構成を示すブロック図である。本実施形態において、携帯端末１５０は、対応付けられているテレワーカーの活動量を測定する。携帯端末１５０は、通信部１５１と、撮像部１５２と、認証部１５３と、測定部１５４と、制御部１５５と、入出力部１５６と、記憶部１５７とを備える。
【００４２】
通信部１５１は、情報処理装置１００又は管理サーバー２００との間で各種のデータを送受信する。具体的には、通信部１５１は、測定部１５４で測定された活動量データを情報処理装置１００に送信する。更に、通信部１５１は、測定部１５４で測定された活動量データを管理サーバー２００に送信する。通信部１１は、例えば、通信インターフェイスである。なお、通信部１５１は、「送信部」の一例である。
【００４３】
撮像部１５２は、例えば、電荷結合素子（Ｃｈａｒｇｅ  Ｃｏｕｐｌｅｄ  Ｄｅｖｉｃｅ：ＣＣＤ）イメージセンサー、又は相補型ＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ：ＣＭＯＳ）イメージセンサーを含む。撮像部１５２は、テレワーカーの指示に基づいて、テレワーカーを認証し得る対象を撮影し、画像データを生成する。ここで、「テレワーカーを認証し得る対象」とは、例えば、「ウォーキング中のテレワーカーを含む周囲の景色」である。更に、撮影時刻と撮影場所を示す位置データを、画像データに対応付けて記憶させてもよい。
【００４４】
認証部１５３は、活動量データを取得する際に、ユーザーを認証する。具体的には、認証部１５３は、携帯端末１５０の起動時と、活動量の測定時とにおいて、テレワーカーを認証する。認証部１５３は、携帯端末１５０の起動時に、例えば、ユーザーＩＤと、パスワードとによって、テレワーカーを認証する。更に、認証部１５３は、例えば、活動量の測定時に、制御部１５５が内蔵するＧＰＳ機能を用いて取得した位置データと、撮像部１５２で生成された、テレワーカーを認証し得る対象の画像データとに基づいて、テレワーカーを認証する。
【００４５】
更に、認証部１５３は、予め規定した期間の中で、複数の回数、ユーザーを認証してもよい。例えば、認証部１５３は、土曜日と日曜日との午後に、２回ずつ、テレワーカーを認証してもよい。
【００４６】
また、認証部１５３は、活動量を取得する途中で、定期的又は不定期にユーザーを認証してもよい。また、認証部１５３は、ユーザーの生体情報を利用して、ユーザーを認証してもよい。
【００４７】
測定部１５４は、ユーザーの活動量を測定する。具体的には、測定部１５４は、歩数計機能を用いて、テレワーカーの１日当たりの歩数を測定する。
【００４８】
制御部１５５は、携帯端末１５０の全体の動作を制御する。制御部１５５は、例えば、マイクロコンピューターであり、記憶部１５７に記憶された制御プログラムを実行することによって、携帯端末１５０の各構成部分の動作を制御する。本実施形態では、制御部１５５は、ＧＰＳ機能を内蔵する。
【００４９】
入出力部１５６は、各種の情報をユーザーに提示する。更に、入出力部１５６は、ユーザーから各種の指示を受け付ける。具体的には、入出力部１５６は、活動量の測定を開始するための指示をテレワーカーから受け付ける。入出力部１５６は、例えば、タッチパネルを有する液晶ディスプレイである。
【００５０】
記憶部１５７は、携帯端末１５０の動作に関する各種のデータ、制御に関する各種のデータ、および制御プログラムを記憶する。記憶部１５７は、ＲＯＭ、ＲＡＭ、ＨＤＤおよび／又はＳＳＤを備えてもよい。
【００５１】
次に、図４および図５を参照して、本実施形態の第１ログイン制御処理について説明する。図４は、第１ログイン制御処理の前半を示すシーケンス図である。ここで、「第１ログイン制御処理」とは、携帯端末１５０が収集した活動量データに基づいて、情報処理装置１００のログイン処理の実行を制御する処理である。第１ログイン制御処理は、ステップＳ２〜ステップＳ２８によって実行される。
【００５２】
ステップＳ２：携帯端末１５０の制御部１５５は、入出力部１５６を介してテレワーカーから受け付けた指示に基づいて、活動量の測定を開始するか否かを判定する。活動量の測定を開始すると制御部１５５が判定した場合（ステップＳ２でＹｅｓ）、処理はステップＳ４に進む。活動量の測定を開始しないと制御部１５５が判定した場合（ステップＳ２でＮｏ）、処理はステップＳ２を継続する。
【００５３】
ステップＳ４：認証部１５３は、テレワーカーについて本人を認証する。処理は、ステップＳ６に進む。
【００５４】
ステップＳ６：テレワーカーが本人であると認証部１５３が判定した場合（ステップＳ６でＹｅｓ）、処理はステップＳ８に進む。テレワーカーが本人でないと認証部１５３が判定した場合（ステップＳ６でＮｏ）、処理はステップＳ２に戻る。
【００５５】
ステップＳ８：測定部１５４は、テレワーカーの活動量を測定する。処理は、ステップＳ１０に進む。
【００５６】
ステップＳ１０：測定部１５４は、測定した活動量を示す活動量データを記憶部１５７に記憶し、活動量データを蓄積する。処理は、ステップＳ１２に進む。
【００５７】
ステップＳ１２：制御部１５５は、測定期間が終了したか否かを判定する。測定期間が終了したと制御部１５５が判定した場合（ステップＳ１２でＹｅｓ）、処理はステップＳ１４に進む。測定期間が終了しないと制御部１５５が判定した場合（ステップＳ１２でＮｏ）、処理はステップＳ８に戻る。
【００５８】
ステップＳ１４：通信部１５１は、制御部１５５の指示に応じて、情報処理装置１００に活動量データを送信する。処理は、図５のステップＳ１６に進む。
【００５９】
図５は、第１ログイン制御処理の後半を示すシーケンス図である。図４を参照して説明したように、管理サーバー２００は、ステップＳ１４において、携帯端末１５０から活動量データを受信する。
【００６０】
ステップＳ１６：情報処理装置１００の取得部１３１２は、通信部１１を介して活動量データを取得する。更に、取得部１３１２は、取得した活動量データを記憶部１３２に記憶し、活動量データを蓄積する。処理は、ステップＳ１８に進む。
【００６１】
ステップＳ１８：受付部１２２は、テレワーカーからログインの指示を受け付ける。処理は、ステップＳ２０に進む。
【００６２】
ステップＳ２０：実行部１３１１は、テレワーカーからログインの指示を受け付けたか否かを判定する。テレワーカーからログインの指示を受け付けたと実行部１３１１が判定した場合（ステップＳ２０でＹｅｓ）、処理はステップＳ２２に進む。テレワーカーからログインの指示を受け付けないと実行部１３１１が判定した場合（ステップＳ２０でＮｏ）、処理はステップＳ１６に戻る。
【００６３】
ステップＳ２２：実行部１３１１は、記憶部１３２から活動量データを読み出す。処理は、ステップＳ２４に進む。
【００６４】
ステップＳ２４：判定部１３１３は、活動量が第１基準値を満たすか否かを判定する。活動量が第１基準値を満たすと判定部１３１３が判定した場合（ステップＳ２４でＹｅｓ）、処理はステップＳ２６に進む。活動量が第１基準値を満たさないと判定部１３１３が判定した場合（ステップＳ２４でＮｏ）、処理はステップＳ２８に進む。
【００６５】
ステップＳ２６：制御部１３１４は、ログイン処理の実行を許可する。第１ログイン制御処理を終了する。
【００６６】
ステップＳ２８：制御部１３１４は、ログイン処理の実行を許可しない。第１ログイン制御処理を終了する。
【００６７】
以上、図１〜図５を参照して説明したように、情報処理装置１００は、ログイン時に、テレワーカーの活動量に基づいて、ログインを許可するか否かを決定する。これにより、テレワーカーは、情報処理装置１００にログインに必要な活動量を取得しようと努める。したがって、情報処理装置１００を使用するテレワーカーは、自身の健康を増進させることが可能となる。
【００６８】
（第２実施形態）
次に、図１〜図３、図６および図７を参照して、本実施形態に係る第２ログイン制御処理について説明する。図６は、本実施形態に係る管理サーバー２００の構成を示すブロック図である。管理サーバー２００は、情報処理装置１００からリモートログインの要求があった場合に、情報処理装置１００に対応付けられた携帯端末１５０から受信した活動量データに基づいて、リモートログインを許可し、又はリモートログインを制限する。
【００６９】
図１を参照して上述した第１実施形態では、携帯端末１５０が収集した活動量データに基づいて情報処理装置１００へのログインを制御したが、本実施形態では、携帯端末１５０が収集した活動量データに基づいて情報処理装置１００の管理サーバー２００へのリモートログインを制御する点が異なる。
【００７０】
図６に示すように、管理サーバー２００は、通信部２１０と、システム制御部２２０と、記憶部２３０とを備える。システム制御部２２０は、記憶部２３０に格納された制御プログラムを実行することによって、管理サーバー２００の動作および情報処理システム１の他の各装置の動作を制御する。システム制御部２２０は、特に、情報処理装置１００によるリモートログインの可否を制御する。
【００７１】
通信部２１０は、情報処理装置１００又は携帯端末１５０との間で各種データを送受信する。通信部２１０は、通信インターフェイスである。
【００７２】
システム制御部２２０は、例えば、マイクロコンピューターであり、記憶部２３０に記憶された制御プログラムを実行することによって、管理サーバー２００の各構成部分の動作の制御および情報処理システム１の各装置を制御する。システム制御部２２０は、実行部２２１と、取得部２２２と、判定部２２３と、制御部２２４とを備える。
【００７３】
実行部２２１は、通信部２１０を介して、情報処理装置１００から受信したリモートログイン処理の要求に基づいて、リモートログイン処理を実行する。ここで、「リモートログイン処理」とは、情報処理装置１００への指示を介して管理サーバー２００を使用可能な状態にするために最初に実行される処理である。具体的には、リモートログイン処理は、テレワーカーの認証に関する情報が入力されてから、テレワーカーが管理サーバー２００を使用できる状態になるまでの処理をいう。例えば、実行部２２１は、テレワーカーから、ユーザーＩＤとパスワードとを受け付ける。更に、実行部２２１は、記憶部２３０に記憶された活動量データを読み出す。実行部２２１は、ユーザーＩＤと、パスワードと、活動量データとに基づいて、リモートログイン処理を実行する。更に、実行部２２１は、図７を参照して後述するように、制御部２２４によって、リモートログイン処理の実行が制御される。
【００７４】
取得部２２２は、通信部２１０を介して、携帯端末１５０からテレワーカーの活動量を取得する。具体的には、取得部２２２は、図１に破線で示すように、ネットワーク５０および通信部２１０を介して、携帯端末１５０から送信された活動量データを取得する。更に、取得部２２２は、取得した活動量データを記憶部２３０に記憶し、蓄積する。
【００７５】
本実施形態では、取得部２２２は、通信部２１０を介して、携帯端末１５０から送信された歩数データを取得する。
【００７６】
判定部２２３は、活動量について種々判定する。具体的には、判定部２２３は、図２を参照して上述した判定部１３１３と同等の機能を有する。
【００７７】
制御部２２４は、取得部２２２が取得した活動量に基づいて、リモートログイン処理の実行を許可し、又は制限するように、実行部２２１を制御する。なお、本実施形態では、情報処理装置１００から受信したユーザーＩＤおよびパスワードと、記憶部２３０に登録されているユーザーＩＤおよびパスワードとが一致することが、リモートログイン処理の実行を許可する前提条件である。
【００７８】
図７は、本実施形態の第２ログイン制御処理を示すシーケンス図である。図７は、情報処理装置１００と、携帯端末１５０と、管理サーバー２００との間で実行される第２ログイン制御処理を示す通信シーケンス図である。ここで、「第２ログイン制御処理」は、携帯端末１５０が収集した活動量データに基づいて、情報処理装置１００を介した管理サーバー２００へのリモートログイン処理の実行を制御する処理である。第２ログイン制御処理は、ステップＳ１０２〜ステップＳ１３０によって実行される。
【００７９】
ステップＳ１０２：携帯端末１５０の制御部１５５は、テレワーカーから受け付けられた指示に基づいて、活動量の測定を開始するか否かを判定する。活動量の測定を開始すると制御部１５５が判定した場合（ステップＳ１０２でＹｅｓ）、処理はステップＳ１０４に進む。活動量の測定を開始しないと制御部１５５が判定した場合は（ステップＳ１０２でＮｏ）、処理はステップＳ１０２を継続する。
【００８０】
ステップＳ１０４：認証部１５３は、テレワーカーの本人認証が必要か否かを判定する。テレワーカーの本人認証が必要であると認証部１５３が判定した場合（ステップＳ１０４でＹｅｓ）、処理はステップＳ１０６に進む。テレワーカーの本人認証が必要でないと認証部１５３が判定した場合（ステップＳ１０４でＮｏ）、処理はステップＳ１１０に進む。
【００８１】
ステップＳ１０６：認証部１５３は、テレワーカーについて、本人を認証する。処理は、ステップＳ１０８に進む。
【００８２】
ステップＳ１０８：テレワーカーが本人であると認証部１５３が判定した場合（ステップＳ１０８でＹｅｓ）、処理はステップＳ１１０に進む。テレワーカーが本人でないと認証部１５３が判定した場合（ステップＳ１０８でＮｏ）、処理はステップＳ１０２に戻る。
【００８３】
ステップＳ１１０：測定部１５４は、テレワーカーの活動量を測定する。処理は、ステップＳ１１２に進む。
【００８４】
ステップＳ１１２：測定部１５４は、測定した活動量を示す活動量データを記憶部１５７に記憶し、活動量データを蓄積する。処理は、ステップＳ１１４に進む。
【００８５】
ステップＳ１１４：制御部１５５は、測定期間が終了したか否かを判定する。測定期間が終了したと制御部１５５が判定した場合（ステップＳ１１４でＹｅｓ）、処理はステップＳ１１６に進む。測定期間が終了していないと制御部１５５が判定した場合（ステップＳ１１４でＮｏ）、処理はステップＳ１０４に戻る。
【００８６】
ステップＳ１１６：通信部１５１は、制御部１５５の指示に応じて、管理サーバー２００に活動量データを送信する。処理は、ステップＳ１１８に進む。
【００８７】
ステップＳ１１８：管理サーバー２００の取得部２２２は、通信部２１０を介して活動量データを取得する。更に、取得部２２２は、取得した活動量データを記憶部２３０に記憶し、活動量データを蓄積する。処理は、ステップＳ１２０に進む。
【００８８】
ステップＳ１２０：情報処理装置１００の実行部１３１１は、受付部１２２を介して、テレワーカーからリモートログインの指示を受け付ける。処理は、ステップＳ１２２に進む。
【００８９】
ステップＳ１２２：実行部１３１１は、通信部１１を介して、管理サーバー２００にリモートログインを要求する。処理は、ステップＳ１２４に進む。
【００９０】
ステップＳ１２４：管理サーバー２００の実行部２２１は、リモートログインの要求があるか否かを判定する。リモートログインの要求があると実行部２２１が判定した場合（ステップＳ１２４でＹｅｓ）、実行部２２１は、記憶部２３０から活動量データを読み出す。処理はステップＳ１２６に進む。リモートログインの要求がないと実行部２２１が判定した場合（ステップＳ１２４でＮｏ）、処理はステップＳ１１８に戻る。
【００９１】
ステップＳ１２６：判定部２２３は、活動量が第１基準値を満たすか否かを判定する。活動量が第１基準値を満たすと判定部２２３が判定した場合（ステップＳ１２６でＹｅｓ）、処理はステップＳ１２８に進む。活動量が第１基準値を満たさないと判定部２２３が判定した場合（ステップＳ１２６でＮｏ）、処理はステップＳ１３０に進む。
【００９２】
ステップＳ１２８：制御部２２４は、通信部２１０を介して、リモートログインを許可する旨のメッセージを情報処理装置１００に送信し、リモートログインを許可する。第２ログイン制御処理を終了する。
【００９３】
ステップＳ１３０：制御部２２４は、通信部２１０を介して、リモートログインを許可しない旨のメッセージを情報処理装置１００に送信し、リモートログインを許可しない。第２ログイン制御処理を終了する。
【００９４】
以上、図１〜図３、図６および図７を参照して説明したように、管理サーバー２００は、リモートログイン時に、テレワーカーの活動量に基づいてリモートログインを許可するか否かを決定する。これにより、テレワーカーは、管理サーバー２００へのリモートログインに必要な活動量を取得しようと努める。したがって、リモートログインによって管理サーバー２００を使用するテレワーカーは、自身の健康を増進させることが可能となる。
【００９５】
以上、図面（図１〜図７）を参照しながら本発明の実施形態を説明した。但し、本発明は、上記の実施形態に限られるものではなく、その要旨を逸脱しない範囲で種々の態様において実施することが可能である（例えば、下記に示す（１）〜（４））。図面は、理解しやすくするために、それぞれの構成要素を主体に模式的に示しており、図示された各構成要素の厚み、長さ、個数等は、図面作成の都合上から実際とは異なる。また、上記の実施形態で示す各構成要素の材質や形状、寸法等は一例であって、特に限定されるものではなく、本発明の効果から実質的に逸脱しない範囲で種々の変更が可能である。
【００９６】
（１）本発明の実施形態では、携帯端末１５０から管理サーバー２００に活動量データを送信する構成について説明したが、本発明は、携帯端末１５０から管理サーバー２００に活動量データを送信する構成に限定されない。例えば、携帯端末１５０から情報処理装置１００に活動量データを送信し、情報処理装置１００から管理サーバー２００に活動量データを送信する構成であってもよい。
【００９７】
（２）本発明の実施形態では、テレワーカーの活動量に基づいて、ログイン処理又はリモートログイン処理の実行を制限する構成について説明したが、テレワーカーの活動量に基づいて、ログイン処理又はリモートログイン処理の実行を制限する構成に限定されない。テレワーカーの活動量の多寡の程度に基づいて、ログイン処理後又はリモートログイン処理後に、情報処理装置１００又は管理サーバー２００において利用可能な機能を制限するように構成してもよい。
【００９８】
更に、テレワーカーの活動量の多寡の程度に基づいて、ログインが可能な情報処理装置を自宅等から指定したオフィスの情報処理装置に変更してもよい。また、利用可能な印刷装置を情報処理装置から離れた場所の印刷装置に変更するように構成してもよい。
【００９９】
（３）本発明は、テレワーカーの健康を増進させる構成について説明したが必ずしも、テレワーカーのみの健康増進を対象とすることに限定されない。本発明は、通常のユーザーの健康を増進させるために利用されてもよい。
【０１００】
（４）また、本発明は、本発明に係る情報処理装置の特徴的な構成手段をステップとする情報処理方法として実現したり、それらのステップを包含する制御プログラムとして実現したりすることもできる。また、そのプログラムは、ＣＤ−ＲＯＭ等の記録媒体や通信ネットワーク等の伝送媒体を介して流通させることもできる。
【産業上の利用可能性】
【０１０１】
本発明は、情報処理装置の分野に利用可能である。
【符号の説明】
【０１０２】
１，１Ａ        情報処理システム
１００，１００Ａ，１００Ｂ，１００Ｃ    情報処理装置
１１      通信部（受信部）
１２      入出力部
１２１    表示部
１２２    受付部
１３      装置制御部
１３１    処理部
１３１１  実行部
１３１２  取得部
１３１３  判定部
１３１４  制御部
１３２    記憶部
１５０，１５０Ａ，１５０Ｂ，１５０Ｃ    携帯端末
１５１    通信部（送信部）
１５２    撮像部
１５３    認証部
１５４    測定部
１５５    制御部
１５６    入出力部
１５７    記憶部
２００    管理サーバー
２２１    実行部
２２２    取得部
２２３    判定部
２２４    制御部
【図１】
2020095567.tif 000003
【図２】
2020095567.tif 000004
【図３】
2020095567.tif 000005
【図４】
2020095567.tif 000006
【図５】
2020095567.tif 000007
【図６】
2020095567.tif 000008
【図７】
2020095567.tif 000009